(57)【要約】  後に参照するコンテンツを想起できるようにするための方法、装置及びシステムは、移動通信装置の近くで表示されたコンテンツに関心があるしるしを受信するステップと、受信した関心があるしるしの情報を利用して移動通信装置を確認するステップと、移動通信装置の確認に関連して決定した通信情報を利用して、関心があるコンテンツ、関心があるコンテンツのコンテンツデータ、及び関心があるコンテンツのロケーション情報のうちの少なくとも１つを、移動通信装置に保存するために送るステップとを有する。
2015510156.tif 000002
【特許請求の範囲】
【請求項１】
移動通信装置の近くで表示されたコンテンツに関心があるしるしを受信するステップと、
受信した関心があるしるしの情報を利用して前記移動通信装置を確認するステップと、
前記移動通信装置の確認により、関心がある前記コンテンツ、関心がある前記コンテンツのコンテンツデータ、及び関心がある前記コンテンツのロケーション情報のうちの少なくとも１つを、前記移動通信装置に保存するために送るステップと
を有する方法。
【請求項２】
前記コンテンツとともに含まれているクイックレスポンスコードが、前記関心があるコンテンツを示すために前記移動通信装置を用いてスキャンされる、請求項１に記載の方法。
【請求項３】
前記移動通信装置によりスキャンされた前記クイックレスポンスコードが、前記コンテンツのソースに送られる、請求項２に記載の方法。
【請求項４】
前記移動通信装置を確認する前記ステップにおいて、クッキー及びジャバスクリプトのうち少なくとも１つを使用する、請求項２に記載の方法。
【請求項５】
前記関心があるコンテンツのユニフォームリソースロケータを前記移動通信装置のキャッシュに保存するステップを有する請求項１に記載の方法。
【請求項６】
前記コンテンツに関心があることを示すために、近距離無線通信が前記移動通信装置により使用される、請求項１に記載の方法。
【請求項７】
前記移動通信装置を確認する前記ステップにおいて、前記移動通信装置の近距離無線通信の能力及び機能を使用する、請求項６に記載の方法。
【請求項８】
前記移動通信装置の近くで提示されるコンテンツに関心があることを示すために、前記移動通信装置のユーザが、前記移動通信装置の媒体アクセス制御アドレスをコンテンツのソースに提供する、請求項１に記載の方法。
【請求項９】
提供された前記媒体アクセス制御アドレスを使用して、前記移動通信装置の場所を追跡し、前記移動通信装置に示されたコンテンツを特定するステップを有する請求項８に記載の方法。
【請求項１０】
前記移動通信装置の機能を使用して、前記移動通信装置の近くで提示されたコンテンツに関心があることを示すステップを有する請求項１に記載の方法。
【請求項１１】
関心がある保存されている前記コンテンツ、及び前記関心があるコンテンツの保存されている前記ロケーション情報のうち少なくとも１つを使用して、前記コンテンツの提示に意図されている時間より遅い時点で前記関心があるコンテンツを表示するステップを有する請求項１に記載の方法。
【請求項１２】
関心がある保存されている前記コンテンツ、及び前記関心があるコンテンツの保存されている前記ロケーション情報のうち少なくとも１つを使用して、前記コンテンツの元々の提示時間より遅い時点で前記関心があるコンテンツを前記移動通信装置において再生するステップを有する請求項１に記載の方法。
【請求項１３】
前記移動通信装置に示されたコンテンツについての情報をリストの形式で通信するステップを有する請求項１に記載の方法。
【請求項１４】
前記リストが前記移動通信装置においてドロップダウンメニューで提示される、請求項１３に記載の方法。
【請求項１５】
前記移動通信装置に何れのコンテンツを保存するか、及び前記移動通信装置に何れのコンテンツのロケーション情報を保存するかのうち少なくとも１つを選択するために、前記ドロップダウンメニューが使用される、請求項１４に記載の方法。
【請求項１６】
個々のディスプレイ及び前記個々のディスプレイの場所で如何なるコンテンツが再生されているかを前記移動通信装置が特定するために、ネットワークビーコンが使用される、請求項１に記載の方法。
【請求項１７】
前記移動通信装置が、前記ネットワークビーコンを利用して、如何なるコンテンツが示されているかを特定する、請求項１６に記載の方法。
【請求項１８】
プログラムルーチン及びデータを保存するメモリと、前記プログラムルーチンを実行するプロセッサとを有する装置であって、
移動通信装置の近くで表示されたコンテンツに関心があるしるしを受信する処理と、
受信した関心があるしるしの情報を利用して前記移動通信装置を確認する処理と、
前記移動通信装置の確認により、関心がある前記コンテンツ、関心がある前記コンテンツのコンテンツデータ、及び関心がある前記コンテンツのロケーション情報のうちの少なくとも１つを、前記移動通信装置に保存するために送る処理と
を実行するように形成される装置。
【請求項１９】
当該装置がコンテンツサーバを形成する請求項１８に記載の装置。
【請求項２０】
後に参照するコンテンツを想起できるようにするシステムであって、
メディアコンテンツを提供する少なくとも１つのコンテンツソースと、
プログラムルーチン及びデータを保存するメモリと、前記プログラムルーチンを実行するプロセッサとを有する装置と、
関心があるコンテンツを少なくとも表示するディスプレイと
を有し、前記プログラムルーチンを実行する際に、前記プロセッサは、
移動通信装置の近くで表示されたコンテンツに関心があるしるしを受信する処理と、
受信した関心があるしるしの情報を利用して前記移動通信装置を確認する処理と、
前記移動通信装置の確認により、関心がある前記コンテンツ、関心がある前記コンテンツのコンテンツデータ、及び関心がある前記コンテンツのロケーション情報のうちの少なくとも１つを、前記移動通信装置に保存するために送る処理と
を実行するように形成されている、システム。
【発明の詳細な説明】
【技術分野】
【０００１】
本発明は一般に広告コンテンツ等のようなコンテンツを提示することに関連し、特に、後で参照するコンテンツを思い出すことを可能にするための方法、装置及びシステム等に関連する。
【背景技術】
【０００２】
消費者は、提示される情報を受け取る時間がほとんどない時に、ビデオ画面上で製品情報を見せられることがしばしばある。例えば、小売店広告の場合、店舗の画面上で新製品についてのビデオ広告が再生されるかもしれない。買い物客は、その製品についてもっと知りたいという関心を持っているかもしれないが、急いでいる。問題は製品メッセージが束の間(つかのま)に消えてしまうことである。消費者が容易に思い出せる方法で広告の情報を保存する手段が無ければ、消費者が広告の中で見た製品について曖昧な記憶しか消費者に残らない。すなわち、後で参照するために製品情報をキュー(queue)に保存する手段が利用可能な環境であったとしても、保存した全ての広告の中から特定の広告を想起する能力が消費者に不足している。
【０００３】
現在、「インスタペーパー(Instapaper)」という名前の製品が存在し、モバイルインターネット又はインターネットユーザが、関心のある記事を見るための手段、又はより都合の良い時に又は注意深く読むのに相応しい読み取り装置で後で読むためにそれをマークしておく手段を提供している。しかしながら、それは(例えば、PCやモバイル通信装置等のような)ユーザがメディアの利用を行う画面上でしか機能しない。そのようなアプリケーションでは、画面上で見たものにタグを付けて後でそれを検討できるようにすることはできない。
【発明の概要】
【発明が解決しようとする課題】
【０００４】
一観点における実施の形態の課題は、保存した情報の中から特定の情報を想起することを可能にするための方法、装置、システム等を提供することである。
【課題を解決するための手段】
【０００５】
一観点による方法は、
移動通信装置の近くで表示されたコンテンツに関心があるしるしを受信するステップと、
受信した関心があるしるしの情報を利用して前記移動通信装置を確認するステップと、
前記移動通信装置の確認により、関心がある前記コンテンツ、関心がある前記コンテンツのコンテンツデータ、及び関心がある前記コンテンツのロケーション情報のうちの少なくとも１つを、前記移動通信装置に保存するために送るステップと
を有する方法である。
【図面の簡単な説明】
【０００６】
【図１】本発明の実施の形態を使用することが可能なコンテンツ配信システムの上位概念的なブロック図。
【図２】店内広告を提供する本発明の実施の形態を使用することが可能な店内広告ネットワークの上位概念的なブロック図。
【図３】消費者による想起の容易化及び後の参照に備えて、関心があるコンテンツを保存する本発明の実施の形態による方法を示すフローチャート。
【図４】本願で説明されている本発明の様々な実施形態を使用することが可能な本発明の一実施形態によるサーバの上位概念的なブロック図。
【発明を実施するための形態】
【０００７】
＜実施の形態の概要＞
本発明の実施の形態は、後に参照する関心があるコンテンツを想起可能にするための方法、装置及びシステム等を提供することにより、従来の問題を少なくとも軽減する。
【０００８】
本発明の一実施形態による方法は、
移動通信装置の近くで表示されたコンテンツに関心があるしるしを受信するステップと、
受信した関心があるしるしの情報を利用して前記移動通信装置を確認するステップと、
前記移動通信装置の確認により、関心がある前記コンテンツ、関心がある前記コンテンツのコンテンツデータ、及び関心がある前記コンテンツのロケーション情報のうちの少なくとも１つを、前記移動通信装置に保存するために送るステップと
を有する方法である。
【０００９】
本発明の別の実施形態による装置は、
プログラムルーチン及びデータを保存するメモリと、前記プログラムルーチンを実行するプロセッサとを有する装置であって、
移動通信装置の近くで表示されたコンテンツに関心があるしるしを受信する処理と、
受信した関心があるしるしの情報を利用して前記移動通信装置を確認する処理と、
前記移動通信装置の確認により、関心がある前記コンテンツ、関心がある前記コンテンツのコンテンツデータ、及び関心がある前記コンテンツのロケーション情報のうちの少なくとも１つを、前記移動通信装置に保存するために送る処理と
を実行するように形成される装置である。
【００１０】
本発明の別の実施形態によるシステムは、
後に参照するコンテンツを想起できるようにするシステムであって、
メディアコンテンツを提供する少なくとも１つのコンテンツソースと、
プログラムルーチン及びデータを保存するメモリと、前記プログラムルーチンを実行するプロセッサとを有する装置と、
関心があるコンテンツを少なくとも表示するディスプレイと
を有し、前記プログラムルーチンを実行する際に、前記プロセッサは、
移動通信装置の近くで表示されたコンテンツに関心があるしるしを受信する処理と、
受信した関心があるしるしの情報を利用して前記移動通信装置を確認する処理と、
前記移動通信装置の確認により、関心がある前記コンテンツ、関心がある前記コンテンツのコンテンツデータ、及び関心がある前記コンテンツのロケーション情報のうちの少なくとも１つを、前記移動通信装置に保存するために送る処理と
を実行するように形成されている、システムである。
【００１１】
＜実施の形態の詳細な説明＞
本発明による教示内容は明細書、特許請求の範囲及び添付図面により明確に理解される。
【００１２】
図1ないし図4についての説明は「図面の簡単な説明」の欄に記載されている。
【００１３】
図面は本発明の概念を例示することを意図しているに過ぎず、本発明を示す唯一可能な構成と解釈する必要はない。理解を容易にするため、図中、共通する同一の要素を指すために、可能であれば同じ参照番号が使用されている。
【００１４】
本発明は、有利なことに、保存されている情報を後で参照できるように、移動通信装置に提示されたコンテンツのうち関心のあるコンテンツ、関心のあるコンテンツのコンテンツデータ、及び関心のあるコンテンツのロケーション情報のうちの少なくとも1つを保存する方法、装置及びシステム等を提供する。本発明は小売店の広告環境の観点から主に説明されるが、本発明に関する特定の実施形態は本発明の範囲の限定として解釈されるべきではない。ビデオオンデマンドシステム等のようなメディアコンテンツを表示するスクリーン又はディスプレイを使用する任意のコンテンツ配信/通信ネットワークにおいて本発明の概念を利用できることは、当業者によって認められるであろうし、本発明の教示から把握されるであろう。更に、本発明は、製品のコマーシャル等のような広告コンテンツの観点から主に説明されるが、本発明の様々な実施形態において、本発明の様々な実施形態に関して言及されるコンテンツは、オンデマンドコンテンツ、クーポン、個人向けの提案等のようなサービス広告やメディアコンテンツを含んでよいことが、当業者によって認められるであろうし、本発明の教示から把握されるであろう。更に、本発明は移動通信装置にコンテンツを保存する観点から主に説明されるが、本発明の様々な実施形態において、本発明の概念は、何らかの表示装置で表示を行う何らかの通信装置において、コンテンツに関するコンテンツデータやロケーション情報などを保存することに応用可能であることが、当業者によって認められるであろうし、本発明の教示から把握されるであろう。
【００１５】
図面に示される様々な要素の機能は、専用のハードウェアだけでなく、適切なソフトウェアに関連するソフトウェアを実行することが可能なハードウェアを利用することによって発揮されてもよい。プロセッサが使用される場合、それらの機能は、単独の専用プロセッサによって行われてもよいし、単独の共有プロセッサによって行われてもよいし、或いは一部が共有可能な複数の個別プロセッサにより行われてもよい。更に、「プロセッサ」や「コントローラ」という用語を明示的に利用していることは、ソフトウェアを実行できるハードウェアを専ら指すように解釈されるべきではなく、ディジタル信号プロセッサ(DSP)ハードウェア、ソフトウェアを保存するリードオンリメモリ(ROM)、ランダムアクセスメモリ(RAM)及び不揮発性ストレージ等を暗黙に含んでもよいが、暗黙に含まれてよいものはそれらに限定されない。更に、本発明に関する原理、形態及び実施例だけでなくそれらの具体例を示す本願における全ての説明は、構造及び機能的な均等物の双方を包含するように意図されている。更に、そのような均等物は現在知られている均等物だけでなく将来的な均等物をも包含するように意図されている(すなわち、構造によらず同じ機能を発揮する任意の要素が含まれる)。
【００１６】
例えば、本願で示されているブロック図は、本発明の原理を利用する例示的なシステム構成要素及び/又は回路の概念図を表現していることが、当業者に認められるであろう。同様に、何れのフローチャート、フロー図、状態遷移図、擬似コード等は、コンピュータやプロセッサが明示的に図示されているか否かによらず、コンピュータやプロセッサにより実行されかつコンピュータ可読媒体において実質的に具現化される様々なプロセスを表現していることが、認められるであろう。
【００１７】
本発明の実施形態は、例えば、保存されている情報の以後の参照又は表示を可能にするために、少なくとも、例えば広告コンテンツのような関心があるコンテンツ、関心があるコンテンツのコンテンツデータ、及び関心があるコンテンツのロケーション情報を、移動通信装置に保存するための方法及び手段を提供する。すなわち、本発明の様々な実施形態において、セルラ電話機又はタブレットコンピュータ等のようなモバイル通信装置を利用することにより、後に参照/表示するために申し出(offering)に簡単にタグを付ける方法及び手段がユーザ/買い物客に与えられる。本発明の様々な実施形態において、本願で説明されているような関心/興味があるコンテンツのコンテンツデータは、関心があるコンテンツで示されている製品、サービス又はその他の対象内容についての情報を含むことが可能であることに留意すべきである。本発明の様々な実施形態において、本願で説明されているような関心/興味があるコンテンツのロケーション情報は、コンテンツが保存されている場所のアドレス情報(例えば、コンテンツにアクセスできる又はコンテンツを取り出すことができるコンテンツサーバ又はインターネット上の場所のアドレス情報)を含むことが可能であることに、更に留意すべきである。
【００１８】
図1は本発明の実施の形態を使用することが可能なコンテンツ配信システムの上位概念的なブロック図を示す。図1に示されているコンテンツ配信システム100は、少なくとも1つのサーバ110と、チューニング/デコード手段(図中、セットトップボックス(STB)として示されている)のような複数の受信装置1201-120nと、セットトップボックス1201-120nの各々に対するディスプレイ1301-130nとを有する。図1は更に移動通信装置140(図示の例では、移動電話)を示しており、移動通信装置140はコンテンツ配信システム100の中でユーザ(例えば、消費者、顧客、サービス技術者等)により持ち運ばれ、本発明による概念に従って、ユーザにとって関心があるコンテンツを特定し、どのコンテンツが移動通信装置及びユーザに提示されているかを特定するために使用できる。
【００１９】
図1に示すシステム100では、複数のセットトップボックス1201-120nの各々は各自1つのディスプレイに接続されるように図示されているが、本発明の代替実施形態では、複数のセットトップボックス1201-120nの各々は1つより多いディスプレイに接続されていてもよい。更に、図1のコンテンツ配信システム100では、チューニング/デコーディング手段はセットトップボックス120として図示されているが、本発明の代替実施形態では、本発明に関するチューニング/デコーディング手段は、ディスプレイ130に統合されたチューニング/デコーディング手段やその他のスタンドアローン形式のチューニング/デコーディング装置等のような他のチューニング/デコーディング手段を有していてもよい。更に、本発明における受信装置は、オーディオ、ビデオ及び/又はオーディオ/ビデオコンテンツ等のようなコンテンツを受信することが可能な任意の装置を含んでいてもよい。
【００２０】
本発明の一実施形態において、図1のコンテンツ配信システム100は店内広告ネットワークの一部分とすることが可能である。例えば、図2は、店内広告を提供する店内広告ネットワーク200の上位概念的なブロック図を示す。図2に示す広告ネットワーク200では、広告ネットワーク200及び配信システム100は、娯楽コンテンツ、ニュース、及び同様な店内で設定されている消費者情報コンテンツと共に、音楽レコード、ホームビデオ製品紹介、広告コンテンツ及びその他のコンテンツの、列挙(カタログによる列挙)、配信、提示及び利用履歴追跡等を行うソフトウェア及びハードウェアの組み合わせを使用する。コンテンツは、圧縮された又は圧縮されていないビデオ及びオーディオストリームフォーマット(例えば、MPEG4/MPEG4パート10/AVC-H.264、VC-1、ウィンドウズ（登録商標）メディア等)により提示されるコンテンツを含むことが可能であるが、本発明はそれらのフォーマットのみを利用することに限定されない。
【００２１】
一実施形態において、店内広告ネットワーク200及びコンテンツ配信システム100の様々な要素を制御するためのソフトウェアは、ウィンドウ環境(例えば、MS-Windows(登録商標)又はX-Windows(登録商標)オペレーティングシステム)及びハイパフォーマンスコンピュータハードウェアを利用する32ビットオペレーティングシステムを含むことが可能である。広告ネットワーク200は、分散されたアーキテクチャを利用することが可能であり、一実施形態では、衛星(又はワイドエリアネットワーク(WAN)、インターネット、一連のマイクロ波リンク又は同様な仕組み)及び店内モジュールを介して、セントラル化されたコンテンツ管理及び配信制御の機能を提供することが可能である。
【００２２】
図2に示されているように、店内広告ネットワーク200及びコンテンツ配信システム100に関するコンテンツは、広告主202、レコード会社204、映画スタジオ206又はその他のコンテンツプロバイダ208から提供することが可能である。広告主202は、製品の製作者、サービスプロバイダ、制作者やサービスプロバイダその他の者を表現する広告会社とすることが可能である。広告主202からの広告コンテンツは、コマーシャル、「インフォマーシャル(info-mercials)」、製品情報及び製品紹介等を含むことが可能である。
【００２３】
レコード会社204は、レコードレーベル、音楽出版社、ライセンス会社/出版社(例えば、BMI又はASCAP)、個々のアーティスト又はその他の音楽関連コンテンツのソースとすることが可能である。レコード会社204は、音楽チップ(記録された音楽の短いセグメント)、音楽ビデオチップ等のようなオーディオビジュアルコンテンツを提供する。映画スタジオ206は、映画スタジオ、映画製作会社、出版社、その他の映画産業に関連するソースとすることが可能である。映画スタジオ206は、映画クリップ、俳優や女優との事前に記録されたインタビュー、映画評論、「舞台裏」準備(メイキング情報)、同様なコンテンツ等を提供することが可能である。
【００２４】
その他のコンテンツプロバイダ208は、ビデオ、オーディオ、オーディオビジュアルコンテンツに関する他の任意のプロバイダとすることが可能であり、例えば、図1のコンテンツ配信システムを介して配信及び表示されることが可能である。
【００２５】
一実施形態において、コンテンツは、例えば従来の記録されたメディア(テープ、CD、ビデオ等)を用いてネットワーク管理センタ210(NMC)により調達される。NMC210に提供されるコンテンツは例えばローカル配信システム100に配信するのに相応しい形式にコンパイルされ、ローカル配信システム100はコンテンツをローカルサイトに配信して表示する。
【００２６】
NMC210は、受信したコンテンツをディジタル化し、それをディジタルデータファイル222の形式でネットワークオペレーションセンタ(NOC)220に提供することができる。データファイル222はディジタル化されたコンテンツの観点から説明されているが、データファイル222はストリーミングオーディオ、ストリーミングビデオ又はそのような他の情報とすることも可能である点に留意を要する。NMC210によりコンパイルされ受信されたコンテンツは、コマーシャル、バンパー(bumpers)、図形、オーディオ、音等を含むことが可能である。全てのファイルは固有に識別可能であるように命名されていることが好ましい。より具体的には、NMC210は、保存場所のような特定のサイトを指しかつ予定された又はオンデマンド形式で1つ以上の保存部に配信される配信パックを作成する。(サイトのシステムが最初に初期化されない限り(初期化される場合、配信されるパッケージはサイトの初期コンテンツの基礎を形成することになる))配信パックは、必要に応じて、既にそこで提示されている既存のコンテンツを置き換えられる又は改善されるように意図されたコンテンツを含む。代替的に、ファイルは、圧縮されて個々に転送されてもよいし、或いは何らかのタイプのストリーミング圧縮プログラムが使用されてもよい。
【００２７】
NOC220は、この例の場合、ディジタル化されたデータファイル222を通信ネットワーク225を介して商用販売店230のコンテンツ配信システム100に送る。通信ネットワーク225は様々な技術の何れにより実現されてもよい。例えば、一実施形態において、ディジタル化されたデータファイル222を商用販売店230のコンテンツ配信システム100に配信するために、衛星リンクを使用することが可能である。これは、コンテンツを様々なロケーションにブロードキャスト(又はマルチキャスト)することにより、コンテンツを簡易に配信できるようにする。或いは、商用販売店230へのオーディオビジュアルコンテンツの配信及び商用販売店230からのフィードバックの双方にインターネットを使用することも可能である。リースされた回線、マイクロ波ネットワーク又はそのような他の手段等を利用する通信ネットワーク225を実現する他の方法が、本発明による代替実施形態において使用されてもよい。
【００２８】
コンテンツ配信システム100のサーバ110は、コンテンツ(例えば、配信パック)を受信することが可能であり、それに応じてそれらを店内の様々な受信機(例えば、セットトップボックス120及びディスプレイ130)に配信する。すなわち、コンテンツ配信システム100において、コンテンツが受信されストリーミングに構築される。ストリーミングは、1つのサーバ又は一緒に/同時に動作するように形成された複数のサーバにより実行されることが可能である。ストリーミングコンテンツは、様々な異なるロケーションのために形成されたコンテンツ、又は商用販売店230(例えば、店舗)による製品を含むことが可能である。例えば、個々のセットトップボックス120及びディスプレイ130は、
(1)商用販売店230の中の特定の場所に設けられ、かつ、
(2)コンテンツを表示し、個々のセットトップボックス及びディスプレイの位置から所定の距離の範囲内に位置する製品に関するオーディオをブロードキャストするように、
それぞれ形成されることが可能である。
【００２９】
コンテンツ配信システム100のサーバ110は、コンテンツを受信し、店内の様々な受信機に送られるべきオーディオ、ビデオ及び/又はオーディオ/ビデオの様々なストリーム(例えば、コンテンツチャネル)を作成する。ストリームは、無線周波数に変調されたオーディオ、ビデオ及び/又はオーディオ/ビデオの個別的なチャネルであり、ユニキャスト又はマルチキャストによるインターネットプロトコル(IP)ネットワーク内のデータフローとして配信又は送信されることが可能である。これらのストリームは同じ論理セットの制御ソフトウェアの下で1つ以上のサーバから発信することが可能である。
【００３０】
上述したように、本発明の様々な実施形態は、移動通信装置のユーザが後に参照するために、広告又は他のメディアコンテンツの少なくともロケーション情報を移動通信装置に「保存する」方法及び手段を提供する。上述したように、本発明の一実施形態においてユーザによりスキャンされるQRコード（登録商標）がサーバのURLに送られる。本発明の様々な実施形態において、そのようなサーバは、コンテンツ配信システム100のサーバ110、又は店内広告ネットワーク200のNMC210又はNOC220を含むことが可能である。そのページを読み取ったサーバは、ユーザを確認し(すなわち、クッキー(cookie)又はジャバスクリプトによりユーザを確認し)、例えば一実施形態では、ユーザの代わりに、移動通信装置のパーソナル情報キャッシュ内に製品URLを保存する処理を実行する。
【００３１】
本発明の一実施形態では、個々のクイックレスポンス(QR)コードが広告コンテンツとともに同時に広告の画面に表示される。ユーザは、そのコンテンツに関心又は興味がある場合、移動通信装置を利用してQRコード（登録商標）をスキャンすることができる。そのような実施形態では、ユーザの移動通信装置はQRコード（登録商標）を読み取るスキャニングソフトウェアを含んでいる必要がある。ユーザによりスキャンされたQRコード（登録商標）は、サーバのユニフォームリソースロケータ宛てに送られる(すなわち、図1、図2に示されているコンテンツ配信システムのサーバ或いは広告ネットワークにおけるサーバに送られる)。一実施形態では、移動通信装置のブラウザによりページを表示することで、そのページに関して動作するサーバは、移動通信装置に通知するために使用される情報及びユーザ/移動通信装置を特定する。そして、本発明の一実施形態では、サーバは、関心があるコンテンツ、関心があるコンテンツのコンテンツデータ、又は関心があるコンテンツのロケーション情報のうちの少なくとも1つを、移動通信装置に保存するために移動通信装置に送る。すなわち、一実施形態において、本発明におけるサーバは、広告コンテンツのようなユーザが関心を示したコンテンツを、保存のためにユーザの移動通信装置に送る。本発明の代替実施形態において、本発明におけるサーバは、コンテンツの中で示される製品に関する製品情報等のようなコンテンツデータを、保存のためにユーザの移動通信装置に送る。本発明の更なる代替実施形態において、本発明におけるサーバは、ユーザの代わりに動作し、例えば、関心があるコンテンツのURLを、ユーザの移動通信装置のパーソナル情報キャッシュ内に保存する。移動通信装置のユーザは、その後の時点において、移動通信装置に保存されている情報を思い出し、保存されている関心があるコンテンツを参照し、関心があるコンテンツのコンテンツデータ(例えば、製品情報)を参照し、及び/又はインターネットサイト等のような代替的なロケーションの中で、関心があるコンテンツを特定することができる。本発明の様々な実施形態において、移動通信装置に保存されている情報は、コンテンツ配信環境、或いは別のロケーションにおける代替的なパーソナルオーディオ装置又はビデオ装置によらず、以後に参照する際に、移動通信装置のオーディオ装置又はビデオ装置(例えば、スクリーン)において参照されてもよいし、及び/又は別のオーディオ装置又はビデオ装置に送られてもよい。
【００３２】
本発明の代替的な実施形態では、広告画面又は広告を行っているスクリーンは、近距離無線通信(Near  Field  Communication：NFC)用のパッドを含んでいる。そのような実施形態では、ユーザは、NFC機能を備えた移動通信装置のNFCパッドをタップし(軽くたたき)、特定の広告コンテンツ/製品に関心を有することを表現する。ユーザの移動通信装置のNFC能力及び機能は、NFCパッドを介して通信するサーバが、移動通信装置及び移動通信装置との通信に使用されるべき情報を特定するために利用される。そして、サーバは、移動通信装置について特定された通信情報を利用して、関心があるコンテンツ、関心があるコンテンツのコンテンツデータ、及び関心があるコンテンツのロケーションデータのうちの少なくとも1つを、移動通信装置に保存するために送る。例えば、本発明の一実施形態において、サーバは、コンテンツの製品URLを、例えば移動通信装置のキャッシュに保存することを引き起こす。本発明の代替的な実施形態では、サーバは、その関心があるコンテンツを、移動通信装置に保存するために移動通信装置に送る。
【００３３】
本発明の更に別の実施形態において、ユーザの移動通信装置は、店舗の広告環境の中で移動通信装置が動き回る際に追跡され、かつ広告を行っているスクリーンの近くを出入りする際に追跡される(すなわち、アドレス検出及びその他の既知の移動装置検出手段(例えば、ESN検出)等を利用して追跡することができる)。なお、「近く」は、近傍、近辺又は周辺等と言及されてもよい。追跡は、監視、トラッキング等と言及されてもよい。すなわち、本発明の一実施形態において、ユーザは、広告環境内で移動通信装置の媒体アクセス制御(MAC)アドレスを提供することを選択し、移動通信装置との通信を確立できるようにし、ユーザの移動通信装置が店内を動き回る際に及び広告スクリーン近傍を出入りする際に、移動通信装置を追跡できるようにし、広告環境の中でユーザ及びユーザの移動通信装置に何れのコンテンツが提示されたかを追跡できるようにする。
【００３４】
更に、プレイリスト情報、店内の広告スクリーンの位置、及びユーザの位置等のようなサーバ(例えば、サーバ110、NMC210又はNOC220)に既知の情報を利用して、サーバは、ユーザに提示されかつユーザの移動通信装置に示された広告コンテンツや、広告コンテンツの特定の部分がユーザ及びユーザの移動通信装置に提示された際の場所等の全ての情報を追跡することができる。
【００３５】
本発明の一実施形態では、そのような情報は、如何なるコンテンツがユーザに提示されたかを特定する際に、ユーザの移動通信装置に集められた情報を利用して補足されてもよい(補助的に示されてもよい)。例えば、本発明の一実施形態において、ユーザはユーザの移動通信装置で実行する或る適切なアプリケーションを有するように促され、そのアプリケーションは、移動通信装置のマイクロフォンにより「聴いた」又は取得した音を記録し、ユーザが存在したことが分かっている領域内で再生されていると思われる既知の広告と、記録した音とを、音響的に照合する。
【００３６】
本発明の別の実施形態では、ユーザの近傍で提示された広告コンテンツを特定するために、ユーザの移動通信装置のカメラ又はビデオカメラの機能を利用して、ユーザの近傍における広告スクリーンを撮影するように、ユーザは促されてもよい。
【００３７】
本発明の別の実施形態では、如何なる広告が何れの場所で再生中であるかをユーザの移動通信装置が特定するために、ネットワーク「ビーコン」が使用される。移動通信装置は、ビーコンを利用して、移動通信装置に何が表示され確認されたかを、本発明によるサーバに通知する。
【００３８】
本願で説明されているような本発明による様々な実施形態において、本発明によるサーバに集められた情報は、ユーザの移動通信装置及びユーザに提示された広告コンテンツ/製品のリストを作成するために使用される。そのようなリストは、ユーザに提示された広告コンテンツ/製品のリストをユーザが参照できるように、ユーザの移動通信装置に送られ、これにより、ユーザが、何れのコンテンツ或いは何れの広告コンテンツ/製品の情報(例えば、製品のURL)を、例えば一実施形態では移動通信装置のパーソナル情報キャッシュ(個人的な情報キャッシュ)に保存するかを速やかに選択することができるようにする。
【００３９】
本発明に関する上記の実施形態の理解を促すために具体例を説明する。例えば、顧客が製品(例えば、ミルク)を購入するために小売店内を歩いているとする。ミルクを手に取るための店舗の後方/裏に至る経路の途中で、顧客及び顧客の移動通信装置には画面に表示された広告コンテンツが提示され；広告コンテンツは新たなビデオゲームの説明を案内している。顧客はミルクを入手し、精算の列に並んでいる間に、顧客及び顧客の移動通信装置に提示されたコンテンツのリストを参照し、そのリストは上述したように顧客の移動通信装置に利用可能に形成されている。
【００４０】
本発明の一実施形態において、リストは、顧客の移動通信装置において、ドロップダウンメニュー形式で顧客に提示される。ドロップダウンメニューを利用して、顧客は、顧客が店内に居た時間の中で顧客及び顧客の移動通信装置に提示された広告コンテンツ/製品のリストを閲覧することができる。一実施形態において、広告コンテンツ/製品のリストは、顧客にコンテンツが提示された順番に並べることが可能である。そのようなリストを利用して、顧客は、顧客が見たスクリーンで広告されていたビデオゲームに関する広告を閲覧することができる。
【００４１】
本発明の一実施形態において、ユーザは、製品又は製品に関する広告コンテンツに関する情報を保存することを、ユーザの移動通信装置のスクリーンをタップすることにより選択し、そのような情報を、移動通信装置のパーソナルキューに保存し、保存されたデータを後の時点で再検討することができる。
【００４２】
図4は本願で説明されている本発明の様々な実施形態を使用することが可能な本発明の一実施形態によるサーバ110、210、220の上位概念的なブロック図を示す。より具体的には、図4に示すサーバは、プロセッサ410に加えて、制御プログラム、ファイル情報、保存されるメディア等を保存するメモリ420を有するように示されている。プロセッサ410は、電力供給部、クロック回路、キャッシュメモリ等だけでなく、メモリ420に保存されているソフトウェアルーチンの実行を促す回路のような通常のサポート回路430と協同して動作する。すなわち、ソフトウェアプロセスとして説明されている一部のプロセスステップは、様々なステップを実行するプロセッサ410と協同する回路のようなハードウェア内で実現されてもよいことが、想定されている。図4に示すサーバは入出力回路440も含み、入出力回路440は、図4に示すサーバと通信する様々な機能要素との間のインタフェースを形成する。
【００４３】
更に、図4に示すサーバは、本発明による様々な制御機能を実行するようにプログラムされた汎用コンピュータとして説明されているが、本発明は、例えば特定用途向け集積回路(ASIC)等のようなハードウェアで実現することが可能である。すなわち、本願で説明される処理ステップは、プロセッサ、ハードウェア又はそれらの組み合わせにより実行されるソフトウェアにより等価的に実行されて良いように広義に解釈されるべきである。更に、図4に示すサーバは、個別的な素子として示されているが、本願で説明される本発明による概念及び実施形態によるサーバの機能は、セットトップボックス、パーソナルビデオレコーダ、ディジタルビデオレコーダ、コンテンツプロバイダサーバ等のような既存のコンテンツ管理システム要素に組み込まれることが可能である。
【００４４】
図3は、後で参照するために、関心があるコンテンツの想起を促す本発明の実施の形態による方法のフローチャートを示す。本方法300はステップ302から始まり、製品の広告コンテンツのような提示された特定のコンテンツにユーザ/顧客が関心又は興味を持ったことのしるし(indication)が、例えばサーバにより受信される。例えば、本発明の一実施形態において、ユーザがコンテンツに関心又は興味を持った場合、ユーザは、ユーザの移動通信装置を利用して、コンテンツと共に表示画面に表示されているQRコード（登録商標）をスキャンすることが可能である。ユーザによりスキャンされたQRコード（登録商標）は、提示されているコンテンツにユーザが関心/興味を持っていることを示すために、コンテンツサーバ等のようなサーバに通知される。本発明の代替実施形態では、広告スクリーン(広告画面)は近距離通信(NFC)パッドを含み、ユーザは、提示されているコンテンツに関心/興味があることを例えばコンテンツサーバに通知するために、NFC機能を有する移動通信装置をタップしてNFCパッドを指定する。本発明の別の代替実施形態では、ユーザは、広告環境内でユーザの移動通信装置を追跡する手段を、関心/興味があることのしるしとして、本発明のサーバに提供し、サーバは例えば広告環境において顧客及び顧客の移動通信装置に提示された時点のコンテンツを追跡する。そして、本方法300はステップ304に進む。
【００４５】
ステップ304において、コンテンツに関心があることのしるしを本発明のサーバに通知する上記の方法を利用して、提示されたコンテンツについて関心があるユーザ/ユーザの移動通信装置が特定される。例えば、本発明の一実施形態では、クッキー(cookie)又はジャバスクリプト(javascript)により、サーバがユーザの移動通信装置を特定する。移動通信装置が特定されると、移動通信装置を特定する上記方法を用いて、その移動通信装置の通信パラメータを特定することが可能である。本発明の代替実施形態において、移動通信装置が特定されると、カスタマーロイヤルティ情報に関連する情報や、移動通信装置について以前に決定された情報等のような移動通信装置のために以前保存された情報から、移動通信装置のための通信情報を決定することが可能である。カスタマーロイヤルティ(customer  loyalty)は、顧客忠誠心、顧客ロイヤルティ、固定客等と言及されてもよい。
【００４６】
本発明の代替実施形態において、ユーザ/ユーザ装置は、ユーザの移動通信装置のNFCハードウェア及び機能部により特定される。本発明の別の代替実施形態では、ユーザの移動通信装置は、上述したような移動通信装置のMACアドレスにより特定される。そして、本方法300はステップ306に進む。
【００４７】
ステップ306において、ステップ304で決定された移動通信装置の通信情報は、特定された関心があるコンテンツ、関心があるコンテンツのコンテンツデータ、及び関心があるコンテンツのロケーション情報のうちの少なくとも１つを、移動通信装置に保存するように送るのに使用される。例えば、本発明の一実施形態において、ユーザが関心/興味を示したコンテンツ(例えば、広告コンテンツ)が、移動通信装置に保存されるように移動通信装置に送られる。本発明の代替実施形態では、コンテンツに提示される製品に関する製品情報等のようなコンテンツデータが、移動通信装置に保存されるように移動通信装置に送られる。本発明の別の代替実施形態では、本発明のサーバが、例えばユーザの移動通信装置のパーソナル情報キャッシュ内に関心のあるコンテンツのURLを保存する。
【００４８】
本発明の代替実施形態において、ユーザの移動通信装置及びユーザに提示された広告コンテンツ/製品のリストが、移動通信措置に保存されるように移動通信装置に送られ、これにより、ユーザはユーザ及び移動通信装置に提示された広告コンテンツ/製品のリストを参照することができ、ユーザは情報を要求するために広告コンテンツ/製品を選択することが可能になり、本発明によるサーバは、特定された関心があるコンテンツ、関心があるコンテンツのコンテンツデータ、及び関心があるコンテンツのロケーション情報のうちの少なくとも１つを、移動通信装置のメモリに保存するように送ることが可能である。そして、本方法300を終えることができる。
【００４９】
関心のあるコンテンツを思い出し、移動通信装置において後で参照できるようにする方法、装置及びシステム等に関する様々な実施形態が説明されてきたが(実施形態は例示にすぎず限定ではない)、本願による教示内容を踏まえて、修正及び変形が当業者によってなされても良いことに留意を要する。すなわち、変形は開示された特定の実施形態においてなされてもよく、そのような変形は本発明の精神及び範囲内にあることが理解されるべきである。以上、本発明に関する様々な実施形態が説明されたが、本発明に関するの実施形態及び更なる実施形態が、本発明の基本原理から逸脱することなく得られるであろう。
【００５０】
＜関連出願＞
本願は2011年11月30日付けで出願された米国仮出願第61/565,134号による利益を享受し、その米国仮出願の内容全体は本願のリファレンスに組み入れられる。
【図１】
2015510156.tif 000003
【図２】
2015510156.tif 000004
【図３】
2015510156.tif 000005
【図４】
2015510156.tif 000006
【国際調査報告】
2015510156.tif 000007
2015510156.tif 000008
2015510156.tif 000009